(57)【特許請求の範囲】
【請求項１】
入力信号が所定の第１レベルを越えた時を始端とし、入力信号が所定の第２レベルより下がった時を終端とする出力信号を出力する特性を有し、かつ、送信元から送られてきたパルス信号の波形を再生する波形再生手段と、この波形再生手段から出力された出力信号の幅を測定する信号幅測定手段と、この信号幅測定手段で測定された前記出力信号の幅と前記送信元から送り出されたパルス信号の幅とを比較し、前記第１レベルおよび前記第２レベルの少なくとも一方を調整する制御信号を出力する比較手段とを具備したデジタル受信信号の時間幅調整装置において、前記波形再生手段が、入力端子および出力端子、接地端子を有する半導体素子と、入力信号が入力する入力端と前記入力端子間に接続される数が調整できる複数のダイオードとを有することを特徴とするデジタル受信信号の時間幅調整装置。
【請求項２】
入力信号が所定の第１レベルを越えた時を始端とし、入力信号が所定の第２レベルより下がった時を終端とする出力信号を出力する特性を有し、かつ、送信元から送られてきたパルス信号の波形を再生する波形再生手段と、この波形再生手段から出力された出力信号の幅を測定する信号幅測定手段と、この信号幅測定手段で測定された前記出力信号の幅と前記送信元から送り出されたパルス信号の幅とを比較し、前記第１レベルおよび前記第２レベルの少なくとも一方を調整する制御信号を出力する比較手段とを具備したデジタル受信信号の時間幅調整装置において、前記波形再生手段が、入力端子および出力端子、接地端子を有する半導体素子と、前記入力端子と電源端子間に接続された第１の抵抗と、前記入力端子と接地間に接続された第２の抵抗と、入力信号が入力する入力端と前記入力端子間に接続される数が調整できる複数のダイオードとを有し、前記第１の抵抗または前記第２の抵抗の少なくとも一方が可変抵抗であることを特徴とするデジタル受信信号の時間幅調整装置。
【発明の詳細な説明】
【０００１】
【発明の属する技術分野】
本発明は、受信されたデジタル信号のデューティ比を改善するデジタル受信信号の時間幅調整装置に関する。
【０００２】
【従来の技術】
従来、複数のパルス信号で構成されたデジタル信号を伝送する場合、伝送線路の容量成分やインダクタンス成分の影響でパルス信号の波形が変化することがある。例えば、図３（ａ）のような時間幅Ｔのパルス信号Ｐ１を送信側から送ると、伝送線路によって図（ｂ）のＰ２ように変形する。このように変形したパルス信号Ｐ２は、受信側において、シュミットトリガ回路などによって波形が再生される。
【０００３】
シュミットトリガ回路は、入力レベルが所定の値（Ｌ１）を越えた時を始端として立ち上がり、所定の値（Ｌ２）より下がった時を終端として立ち下がるパルス波形の出力信号を出力する特性を有している。このとき、受信側で受信されたパルス信号にノイズなどが重畳されても誤動作しないように、通常、Ｌ１＞Ｌ２の関係に設定されている。
【０００４】
上記した特性のシュミットトリガ回路にパルス信号Ｐ２が入力されると、図（ｃ）のように時間幅ｔのパルス信号Ｐ３が再生される。この場合、受信されたパルス信号Ｐ２の波形が変化していると、再生されたパルス信号Ｐ３の時間幅ｔと送信側から送りだされたパルス信号Ｐ１の時間幅Ｔとが相違し、デューティ比が変わることがある。
【０００５】
【発明が解決しようとする課題】
上記したように再生されたパルス信号Ｐ３の時間幅ｔと送信側から送りだされたパルス信号Ｐ１の時間幅Ｔとが相違し、デューティ比が変ると複数のパルス信号で構成されるデジタル信号を正しく検出できなくなる。
【０００６】
本発明は、上記した欠点を解決するもので、受信したデジタル信号のパルス幅を調整できるようにし、デューティ比に相違が生じないようにしたデジタル受信信号の時間幅調整装置を提供することを目的とする。
【０００７】
【課題を解決するための手段】
本発明は、入力信号が所定の第１レベルを越えた時を始端とし、入力信号が所定の第２レベルより下がった時を終端とする出力信号を出力する特性を有し、かつ、送信元から送られてきたパルス信号の波形を再生する波形再生手段と、この波形再生手段から出力された出力信号の幅を測定する信号幅測定手段と、この信号幅測定手段で測定された前記出力信号の幅と前記送信元から送り出されたパルス信号の幅とを比較し、前記第１レベルおよび前記第２レベルの少なくとも一方を調整する制御信号を出力する比較手段とを具備したデジタル受信信号の時間幅調整装置において、前記波形再生手段が、入力端子および出力端子、接地端子を有する半導体素子と、入力信号が入力する入力端と前記入力端子間に接続される数が調整できる複数のダイオードとを有することを特徴とする。
【００１０】
また、本発明は、入力信号が所定の第１レベルを越えた時を始端とし、入力信号が所定の第２レベルより下がった時を終端とする出力信号を出力する特性を有し、かつ、送信元から送られてきたパルス信号の波形を再生する波形再生手段と、この波形再生手段から出力された出力信号の幅を測定する信号幅測定手段と、この信号幅測定手段で測定された前記出力信号の幅と前記送信元から送り出されたパルス信号の幅とを比較し、前記第１レベルおよび前記第２レベルの少なくとも一方を調整する制御信号を出力する比較手段とを具備したデジタル受信信号の時間幅調整装置において、前記波形再生手段が、入力端子および出力端子、接地端子を有する半導体素子と、前記入力端子と電源端子間に接続された第１の抵抗と、前記入力端子と接地間に接続された第２の抵抗と、入力信号が入力する入力端と前記入力端子間に接続される数が調整できる複数のダイオードとを有し、前記第１の抵抗または前記第２の抵抗の少なくとも一方が可変抵抗となっている。
【００１１】
上記した構成によれば、半導体素子の入力端子に接続された可変抵抗の値を変化させることによって波形再生手段から出力されるパルス信号の始端、例えば立ち上がりのタイミングを調整でき、また、入力端と半導体素子の入力端子間に接続されるダイオードの数を変化させることによって波形再生手段から出力されるパルス信号の終端、例えば立ち下がりのタイミングを調整でき、出力されるパルス信号の時間幅を調整できる。したがって、再生されるデジタル信号の時間幅と送信側から送りだされるデジタル信号の時間幅が同じになるようにデューティ比を調整でき、受信したデジタル信号の検出が正しく行える。
【００１２】
【発明の実施の形態】
本発明の実施の形態について図１を参照して説明する。
【００１３】
符号１１は送信側で、符号１２は受信側である。送信側１１の送信機１１１から複数のパルス信号で構成されたデジタル信号が送出される。デジタル信号は伝送線路Ｌを伝送して受信側１２に送られる。このとき、デジタル信号を構成するパルス信号の波形が伝送線路Ｌの容量成分やインダクタンス成分によって変化し、受信側１２に受信される。
【００１４】
なお、デジタル信号を構成する送信側１１のパルス信号の１つを例えばＰ１で示し、また、受信側１２で受信される変形したパルス信号を例えばＰ２で示し、そして、パルス信号Ｐ１の時間幅をＴで示している。
【００１５】
受信側１２は、波形再生回路１２１や信号幅測定回路１２２、パルス信号発生回路１２３、比較回路１２４などで構成されており、受信されたデジタル信号は波形再生回路１２１に入力される。波形再生回路１２１は、入力信号のレベルが所定の値（Ｌ１）を越えた時を始端として例えば立ち上がり、所定の値（Ｌ２）より下がった時を終端として例えば立ち下がる波形の出力信号を出力する回路、例えばシュミットトリガ回路で構成されている。このとき、波形再生回路１２１から、例えば時間幅ｔのパルス信号Ｐ３が再生される。
【００１６】
再生されたパルス信号Ｐ３は信号幅測定回路１２２に送られる。信号幅測定回路１２２には、パルス信号発生回路１２３から短い周期のパルス信号ｐ１、ｐ２、ｐ３、…が供給されており、パルス信号Ｐ３の時間幅ｔの間にカウントされるパルス信号ｐ１、ｐ２、ｐ３、…の数によって時間幅ｔが測定される。
【００１７】
信号幅測定回路１２２で測定された時間幅ｔの時間情報は比較回路１２４に送られる。比較回路１２４には、送信側１１からパルス信号Ｐ１の時間幅Ｔの時間情報が送られてきており、比較回路１２４において時間幅Ｔと時間幅ｔが比較される。そして、２つの時間幅の差（Δｔ＝Ｔ〜ｔ）に応じた制御信号が生成される。比較回路１２４で生成された制御信号は波形再生回路１２１に送られ、例えば、パルス信号を再生するレベル（Ｌ１、Ｌ２）を変え、時間幅ｔが時間幅Ｔと等しくなるように調整される。
【００１８】
ここで、波形再生回路１２１の一例について図２で説明する。
【００１９】
ＩＮは、デジタル信号が入力する入力端で、入力端ＩＮは、ダイオードＤ１やスイッチＳＷ１、ＳＷ２、そしてトランジスタＱ１のベースＢに接続されている。なお、スイッチＳＷ１、ＳＷ２にはそれぞれに並列にダイオードＤ２、Ｄ３が接続されている。また、トランジスタＱ１のベースＢは可変抵抗ＶＲ１を通して電源端子ＥＴに、エミッタＥは可変抵抗ＶＲ２を通して接地端子ＧＤに接続されている。また、トランジスタＱ１のコレクタＣに出力される出力信号は枠２１で囲まれた増幅器で増幅され、そして、枠２２で囲まれた反転部で極性が反転され、出力端ＯＵＴに出力される。なお、増幅器２１や反転部２２を構成するトランジスタをＱ、抵抗をＲ、そしてダイオードをＤで示している。
【００２０】
上記した構成によれば、入力端ＩＮに入力される入力信号の大きさが可変抵抗ＶＲ１と可変抵抗ＶＲ２の値で決まる所定レベル（例えばＬ１）を越えた時にトランジスタＱはオン状態となり、また、入力端子ＩＮに入力される入力信号の大きさが所定レベル（例えばＬ２…Ｌ２は、可変抵抗ＶＲ１と可変抵抗ＶＲ２の値、そして、トランジスタＱ１のベースＢと入力端ＩＮ間に接続されるダイオードの順方向の電圧降下、即ち、ダイオードの数によって決まる。）より下がった時にオフ状態となる。
【００２１】
この場合、トランジスタＱ１のオフ状態でコレクタＣ電圧は高くなり、オン状態で低くなる。そして、このようなコレクタＣ電圧の変化が反転部で反転され、図１のパルス信号Ｐ３が出力端ＯＵＴに出力される。
【００２２】
なお、出力端ＯＵＴに出力されるパルス信号の時間幅を変える場合、例えば、パルス信号の時間幅を長くする場合は、可変抵抗ＶＲ１と可変抵抗ＶＲ２の値を調整しトランジスタＱ１がオン状態になる入力信号のレベルＬ１を低くし、あるいは、入力端ＩＮとトランジスタＱ１のベースＢ間に接続されるダイオードＤ１〜Ｄ３の数を多くしてトランジスタＱがＯＦＦになる入力信号のレベルＬ２を低くして行われる。なお、接続されるダイオードの数はスイッチＳＷ１、ＳＷ２の開閉で調整される。また、パルス信号の時間幅を短くする場合は、これと反対の制御が行われる。
【００２３】
上記した構成によれば、可変抵抗ＶＲ１と可変抵抗ＶＲ２の値を変化させることによって出力されるパルス信号の始端、例えば立ち上がりのタイミングを、また、入力端ＩＮとトランジスタＱ１のベースＢ間に接続されるダイオードの数を変化させることによってパルス信号の終端、例えば立ち下がりのタイミングを調整でき、出力されるパルス信号の時間幅を調整できる。したがって、再生されたデジタル信号の時間幅ｔと送信側から送りだされたデジタル信号の時間幅Ｔが同じになるようにデューティ比を調整できる。そして、このようにデューティ比を調整した状態でデジタル信号を受信すれば、受信したデジタル信号の検出が正しく行える。
【００２４】
なお、上記した実施の形態で使用したデジタル信号の立ち上がりや立ち下がりはパルスデジタル信号の始端や終端を意味し、信号レベルの上昇や下降とは必ずしも対応しない。また、トランジスタＱ１がオン状態になる入力信号のレベルＬ１をトランジスタＱ１がオフ状態になる入力信号のレベルＬ２より大きくしている。しかし、レベルＬ１とレベルＬ２の大小関係は反対でも、あるいは等しい場合でも適用できる。
【００２５】
【発明の効果】
本発明によれば、受信したデジタル信号のパルス幅を調整できるデジタル受信信号の時間幅調整装置を実現できる。
【図面の簡単な説明】
【図１】本発明の実施の形態を示す回路構成図である。
【図２】本発明の波形再生回路の一例を示す回路図である。
【図３】従来例を説明する波形図である。
【符号の説明】
１１…送信側
１２…受信側
１１１…送信機
１２１…波形再生回路
１２２…信号幅測定回路
１２３…パルス信号発生回路
１２４…比較回路
【図１】
0003593408.tif 000002
【図２】
0003593408.tif 000003
【図３】
0003593408.tif 000004